(57)【要約】  基地局ノード（２１）を操作する方法において、高速パケットチャネル（ＨＳＤＰＡ）によって搬送される、基地局ノードとユーザ装置ユニット（ＵＥ）との間の無線リンク接続の劣化の指標を取得するステップを含む。距離指標に従って、無線リンク接続についての送信優先度が修正される。劣化の指標は、基地局ノード（２１）から無線リンク接続に関与するユーザ装置ユニット（２３）までの距離の距離指標であることが望ましい。送信優先度は、ユーザ装置ユニット（ＵＥ）に対するダウンリンク送信とアップリンク送信のいずれか一方または両方について修正することができる。送信優先度は、例えばユーザ装置ユニット（ＵＥ）についての無線リンク接続では、指標の関数として修正されることが望ましい。
2009543436.tif 000002
【特許請求の範囲】
【請求項１】
基地局ノード（２１）を含む電気通信システムにおいて使用される、前記基地局ノード（２１）とユーザ装置ユニット（２３）との間のエアインタフェースを介した高速ダウンリンクパケットアクセス（ＨＳＤＰＡ）チャネルを操作する方法であって、該方法は、
前記ユーザ装置ユニット（２３）と前記基地局ノード（２１）との間の前記チャネルにより搬送される、無線リンク接続の劣化の指標を取得するステップと、
前記指標に従って、前記チャネルの前記無線リンク接続の送信優先度を変更するステップと、
を含むことを特徴とする方法。
【請求項２】
前記チャネルにより搬送される前記無線リンク接続の前記劣化の指標を取得する前記ステップは、前記無線リンク接続に関係する前記ユーザ装置ユニット（２３）の前記基地局ノード（２１）からの距離を示す距離指標を取得するステップを含むことを特徴とする請求項１に記載の方法。
【請求項３】
前記ユーザ装置ユニット（２３）に対するダウンリンク送信およびアップリンク送信の一方または両方に対する送信優先度を変更するステップをさらに含むことを特徴とする請求項１に記載の方法。
【請求項４】
前記指標の関数として前記無線リンク接続に対する送信優先度を修正するステップをさらに含むことを特徴とする請求項１に記載の方法。
【請求項５】
前記指標は、前記ユーザ装置ユニット（２３）に対する送信タイミングアドバンス（ＴＡ）から取得されることを特徴とする請求項１に記載の方法。
【請求項６】
前記指標は、前記ユーザ装置ユニット（２３）に対する搬送波対干渉比（ＣＩＲ）報告またはチャネル品質指標（ＣＱＩ）から取得されることを特徴とする請求項１に記載の方法。
【請求項７】
第１の入力と第２の入力とを使用して前記無線リンク接続に対する公称送信優先度値を決定するステップであって、前記第１の入力は前記基地局ノード（２１）の送信バッファ内に存在し前記無線リンク接続で使用するよう予定されているパケットの時間遅延に関連しており、前記第２の入力はチャネル品質指標（ＣＱＩ）に関連している、ステップと、
前記指標に関連する第３の入力を用いて前記公称送信優先度値を修正するステップと、
をさらに含むことを特徴とする請求項１に記載の方法。
【請求項８】
前記基地局ノード（２１）の送信バッファ内に存在し前記無線リンク接続で使用するよう予定されているパケットの時間遅延を決定するための複数のパラメータを使用するステップと、
調整された時間遅延を形成するために、前記指標を使用して前記複数のパラメータの少なくとも１つの値を調整するステップと、
前記無線リンク接続に対する修正された送信優先度を決定するために、前記調整された時間遅延を使用するステップと、
をさらに含むことを特徴とする請求項１に記載の方法。
【請求項９】
前記基地局ノード（２１）からの１組の距離範囲を決定するステップと、
前記無線リンク接続に関与する前記ユーザ装置ユニット（２３）が属する前記１組に関連する距離範囲に基づいて、前記複数のパラメータの少なくとも１つの値を調整するステップと、
をさらに含むことを特徴とする請求項８に記載の方法。
【請求項１０】
前記指標の関数として前記無線リンク接続に対する送信電力を修正するステップをさらに含むことを特徴とする請求項１に記載の方法。
【請求項１１】
前記無線リンク接続に対する修正された送信電力を得るために送信電力を変更するステップと、
送信時間間隔の中の前記無線リンク接続の順序を決定するために前記変更された送信電力を使用するステップと、
をさらに含むことを特徴とする請求項１０に記載の方法。
【請求項１２】
基地局ノード（２１）とユーザ装置ユニット（２３）との間のエアインタフェースを介して高速ダウンリンクパケットアクセス（ＨＳＤＰＡ）チャネルを送信する電気通信システムの基地局ノード（２１）であって、該基地局ノードは、
前記ＨＳＤＰＡチャネルを介して通信するよう構成された送受信機と、
前記チャネルにより搬送される無線リンク接続の劣化の指標に従って、前記チャネルの無線リンク接続に関係する前記基地局ノード（２１）と前記ユーザ装置ユニット（２３）との間の無線リンク接続の送信優先度を変更するよう構成されたスケジューラと、
を含むことを特徴とする基地局ノード。
【請求項１３】
前記チャネルにより搬送される前記無線リンク接続の前記劣化の指標は、前記無線リンク接続に関係する前記ユーザ装置ユニット（２３）の前記基地局ノード（２１）からの距離の指標を含むことを特徴とする請求項１２に記載の装置。
【請求項１４】
前記スケジューラは、前記ユーザ装置ユニット（２３）に対するダウンリンク送信およびアップリンク送信の一方または両方に対する送信優先度を変更するよう構成されることを特徴とする請求項１２に記載の装置。
【請求項１５】
前記スケジューラは、前記指標の関数として前記無線リンク接続に対する送信優先度を修正するよう構成されることを特徴とする請求項１２に記載の装置。
【請求項１６】
前記スケジューラは、前記ユーザ装置ユニット（２３）に対する送信タイミングアドバンス（ＴＡ）から前記指標を取得するよう構成されることを特徴とする請求項１２に記載の装置。
【請求項１７】
前記スケジューラは、前記ユーザ装置ユニット（２３）に対する搬送波対干渉比（ＣＩＲ）報告またはチャネル品質指標（ＣＱＩ）から前記指標を取得するよう構成されることを特徴とする請求項１２に記載の装置。
【請求項１８】
前記スケジューラは、
第１の入力と第２の入力とを使用して前記無線リンク接続に対する公称送信優先度値を決定し、ここで、前記第１の入力は前記基地局ノード（２１）の送信バッファ内に存在し前記ユーザ装置ユニット（２３）に対する前記無線リンク接続で使用するよう予定されているパケットの時間遅延に関連し、前記第２の入力はチャネル品質指標（ＣＱＩ）に関連しており、
前記指標に関連する第３の入力を用いて前記公称送信優先度値を修正する、
よう構成されることを特徴とする請求項１２に記載の装置。
【請求項１９】
前記スケジューラは、
前記基地局ノード（２１）の送信バッファ内に存在し前記ユーザ装置ユニット（２３）に対する前記無線リンク接続で使用するよう予定されているパケットの時間遅延を決定するための複数のパラメータを使用し、
調整された時間遅延を形成するために、前記指標を使用して前記複数のパラメータの少なくとも１つの値を調整し、
前記無線リンク接続に対する修正された送信優先度を決定するために、前記調整された時間遅延を使用する、
よう構成されることを特徴とする請求項１２に記載の装置。
【請求項２０】
前記基地局ノード（２１）から１組の距離範囲が決定され、
前記スケジューラは、前記無線リンク接続に関与する前記ユーザ装置ユニット（２３）が属する前記１組に関連する距離範囲に基づいて、前記複数のパラメータの少なくとも１つの値を調整するよう構成されることを特徴とする請求項１９に記載の装置。
【請求項２１】
電力制御ユニットをさらに含み、
前記基地局ノード（２１）は、前記指標に従って、前記無線リンク接続を介した送信のために前記電力制御ユニットで使用される変更送信電力を生成するよう構成されることを特徴とする請求項１２に記載の装置。
【請求項２２】
前記変更送信電力は前記指標の関数であることを特徴とする請求項２１に記載の装置。
【発明の詳細な説明】
【技術分野】
【０００１】
本発明は、一般に電気通信に関し、詳細には、（例えば）汎用移動通信システム（ＵＭＴＳ）における地上無線アクセス網（ＵＴＲＡＮ）で運用されるシステムのような、高速ダウンリンクパケットアクセス（ＨＳＤＰＡ）システムに関する。
【背景技術】
【０００２】
典型的なセルラ方式無線システムでは、移動端末（移動局および移動ユーザ装置ユニット（ＵＥ）とも呼ばれる）は、無線アクセスネットワーク（ＲＡＮ）を介して１つ以上のコアネットワークと通信する。ユーザ装置ユニット（ＵＥ）は、例えば移動電話（「セルラ」電話）や移動終端を備えたラップトップのような移動局であってもよく、従って、例えば、無線アクセスネットワークと音声および／またはデータを通信するような、携帯型、ポケット型、手持ち式、コンピュータに内蔵された、または車載型の移動デバイスであってもよい。
【０００３】
無線アクセスネットワーク（ＲＡＮ）は、ある地理的エリアをカバーし、その地理的エリアはセルエリアに分かれ、各セルエリアは、１つの基地局によってサービス提供される。セルとは、基地局の設置場所にある無線基地局装置によって無線カバレージが提供されるような地理的エリアのことである。各セルは、一意のＩＤによって識別され、そのＩＤはセルの中で同報される。基地局は、無線インタフェース（たとえば無線周波数）を介して基地局の範囲内のユーザ装置ユニット（ＵＥ）と通信する。無線アクセスネットワークでは、典型的には複数の基地局が（例えば地上の通信線またはマイクロ波を介して）１つの無線ネットワーク制御装置（ＲＮＣ）に接続する。また無線ネットワーク制御装置は、基地局制御装置（ＢＳＣ）と呼ばれることもあり、それに接続している複数の基地局の各種動作を管理して調整する。無線ネットワーク制御装置は、典型的には１つ以上のコアネットワークに接続する。
【０００４】
汎用移動通信システム（ＵＭＴＳ）は、第３世代移動通信システムであって、移動通信汎用システム（ＧＭＳ）から進化したものであり、広帯域符号分割多元接続（ＷＣＤＭＡ）アクセス技術に基づいて移動通信サービスの向上をもたらすことが意図されている。
【０００５】
ワイヤレスインターネットサービスの普及が進んできたことから、各種のサービスは、高速のデータレートや大容量を必要としている。ＵＭＴＳは、マルチメディア・ワイヤレス・サービスをサポートするように設計されているが、最大データレートは、必要なサービス品質を満たすには十分ではない。
【０００６】
第３世代パートナシップ・プロジェクト（３ＧＰＰ）として知られるフォーラムでは、電気通信のサプライヤ各社は、第３世代ネットワーク、特にＵＴＲＡＮのための諸標準を提案してそれらに合意しており、データレートおよび無線容量の向上について調査している。フォーラムの作業の結果の１つとして、高速ダウンリンクパケットアクセス（ＨＳＰＡ）が挙げられる。高速パケットアクセス（ＨＳＰＡ）は、ダウンリンクでは高速ダウンリンクパケットアクセス（ＨＳＤＰＡ）を使って、そして、アップリンクではエンハンスド専用チャネル（Ｅ−ＤＣＨ）を使って、ＷＣＤＭＡ仕様を向上させる。これらの新しいチャネルは、ＩＰを利用した通信を効率的にサポートするよう設計されており、エンドユーザ性能を向上させ、システム容量を増加させる。当初は対話型アプリケーションおよびバックグラウンドアプリケーション用に設計されたが、それらは既存のベアラと同等もしくは一層良好な性能を会話サービス用にもたらしている。
【０００７】
高速ダウンリンクパケットアクセス（ＨＳＤＰＡ）全般に関しては、例えば、「3GPP TS 25.435 V6.2.0(2005-06), 3rd Generation Partnership Project」、「Technical Specification Group Radio Access Network」、高速ダウンリンクパケットアクセス（ＨＳＤＰＡ）について論じた「UTRAN Iub Interface User Plane Protocols for Common Transport Channel Data Streams (Release 6)」を参照されたい。フォーラムによって作成され、高速ダウンリンクパケットアクセス（ＨＳＤＰＡ）または本明細書に記述する概念に何らかの関連があるものには、「3GPP TS 25.425 V6.2.0(2005-06), 3rd Generation Partnership Project」、「Technical Specification Group Radio Access Network」、「UTRAN Iur interface user plane protocols for Common Transport Channel data streams (Release 6)」、「3GPP TS 25.433 V6.6.0(2005-06), 3rd Generation Partnership Project」、「Technical Specification Group Radio Access Network」、「UTRAN Iub interface Node B Application Part (NBAP) signaling (Release 6)」などがある。
【０００８】
高速ダウンリンクパケットアクセス（ＨＳＤＰＡ）については、以下の１以上の文献の中においても論じられている。
【０００９】
２００４年１２月３０日出願の、「FLOW CONTROL AT CELL CHANGE FOR HIGH-SPEED DOWNLINK PACKET ACCESS」と題された米国特許出願第１１／０２４，９４２号、
２００３年２月２４日出願の、「RADIO RESOURCE MANAGEMENT FOR A HIGH SPEED SHARED CHANNEL」と題された米国特許出願第１０／３７１，１９９号、
２００５年１２月２日出願の、「Flow Control For Low Bitrate Users On High-Speed Downlink」と題された米国特許出願第１１／２９２，３０４号、
２００５年８月２６日出願のＰＣＴ特許出願ＰＣＴ／ＳＥ２００５／００１２４７、
２００５年８月２６日出願のＰＣＴ特許出願ＰＣＴ／ＳＥ２００５／００１２４８。
【００１０】
ＨＳＤＰＡは、無線リソースの調整責任および管理責任の一部を無線ネットワーク制御装置から基地局へ移管することによって、データレートの高速化を達成する。これらの責任の中には、共有チャネル送信、高次変調、リンクアダプテーション、無線チャネル依存スケジューリング、ソフト合成付きハイブリッドＡＲＱ（それぞれを以下に簡単に記述する）のうち１つ以上が含まれる。
【００１１】
共有チャネル送信では、ＣＤＭＡを利用した送信の場合の拡散コードスペースおよび送信出力のような無線リソースが、時間多重化を用いてユーザ間で共有される。高速ダウンリンク共有チャネルは、共有チャネル送信の一例である。共有チャネル送信の重要な利点の１つは、専用チャネルに比べて、利用可能なコードリソースを一層効率的に利用できることである。また、チャネルの状態が良好な場合、より低次の変調よりも帯域幅効率が良い高次変調を用いて、高速のデータレートが得られる。
【００１２】
無線基地局は、高速ダウンリンク共有チャネル（ＨＳ−ＤＳＣＨ）のチャネル品質（ＣＱ）を監視して、無線基地局で維持される優先キューを管理する。基地局の優先キュー（ＰＱ）は、高速ダウンリンク共有チャネル（ＨＳ−ＤＳＣＨ）上で無線インタフェースを介して移動端末へ送信されることになるデータを記憶する。加えて、ＨＳ−ＤＳＣＨの搬送波の品質をモニタで知っているため、基地局は、もっと多くのＨＳ−ＤＳＣＨデータフレームを無線基地局へ送信することを制御ノードに許可するメッセージを、制御ノードに送信する。
【００１３】
移動端末は、セルを担当する無線基地局にチャネル品質指標（ＣＱＩ）を報告する。ＣＱＩは、各移動局（例えば各ユーザ装置ユニット（「ＵＥ」））によって報告される共通パイロットＣＰＩＣＨの品質の尺度である。チャネル品質指標（ＣＱＩ）は、移動端末の機能の表現と共に、ビットレートに翻訳される。次いでビットレートは、無線基地局の必要に応じてさらに減じられ、その結果、定期的に、および／または必要に応じて、例えば緊急の変化に際して、制御ノードへ送信される容量割当て制御フレームが生成される。許可メッセージには、各種のやり方で、例えばビットレートまたはクレジットに関して表現されうる「容量割当て」が含まれる。例えば、クレジットで表現される容量割当ては、無線ネットワーク制御装置（ＲＮＣ）がＭＡＣ−ｄフローについて送信することを許可される複数のＭＡＣ−ｄ  ＰＤＵのことを指してもよい。これらの許可メッセージに応じて、制御ノードは、別のＨＳ−ＤＳＣＨフレームを無線基地局へ送信する。
【００１４】
優先キューの中のデータは、プロトコルデータユニット（ＰＤＵ）の形で制御ノードから無線基地局へ送信される。複数のＰＤＵが、それぞれの高速ダウンリンク共有チャネル（ＨＳ−ＤＳＣＨ）データフレームの中に含まれてもよい。
【００１５】
このように、ＨＳＤＰＡは、パケットデータのアプリケーションを効率的にサポートできるように設計された共有チャネルなのである。専用（および共有）チャネルに勝る向上には、高速リンクアダプテーション、高速スケジューリング、ノードＢからのハイブリッドＡＲＱ、送信時間間隔（ＴＴＩ）の短縮化などが含まれる。高速リンクアダプテーションに関しては、リンクアダプテーションは、ＵＥからのチャネル品質指標に基づいて最も良い変調および符号化スキームを選択することによって行われる。高速スケジューリングについては、ユーザの選択は、リンク品質情報にアクセスすることができ、従って最適なユーザを選択することができる、ノードＢで行われる。ノードＢからのハイブリッドＡＲＱは、基地局内で再送メカニズムを有することを含み、それによって高速の再送と誤ったリンクアダプテーション判断の迅速な回復とが可能になる。ＴＴＩの短縮としては、２ミリ秒（ｍｓ）のＴＴＩがすべての送信に用いられる。
【００１６】
Ｅ−ＤＣＨは、ＩＰ送信用に向上させた専用チャネルである。向上した点には、ＴＴＩの間隔を短縮化する可能性、移動端末と基地局間のハイブリッドＡＲＱ（ＨＡＲＱ）の高速化、移動端末の伝送速度の基地局からのスケジューリング、そして、Ｅ−ＤＣＨがアップリンクにおける専用チャネルに特徴的な機能の大半を保持するという事実などが含まれる。移動端末と基地局間の高速ハイブリッドＡＲＱについては、固定回数だけ送信を試行した後に送信を中止することから、ＨＡＲＱメカニズムは半永続的である。送信試行回数は、ＲＮＣからＵＥに信号で伝えられる。
【００１７】
高速ダウンリンクパケットアクセス機能を備えた基地局は、通常、高速ダウンリンクパケットアクセス制御部、例えばＨＳＤＰＡスケジューラ、または、高速ダウンリンク共有チャネル（ＨＳ−ＤＳＣＨ）とシグナリングの目的で利用される高速共有制御チャネル（ＨＳ−ＳＣＣＨ）との割当てと利用とを管理する、類似のチャネルマネージャを有する。また、ＨＳＤＰＡ制御部は、一般にＨＳＤＰＡスケジューラと呼ばれることもある。ＨＳ−ＳＣＣＨは、ＨＳ−ＰＤＳＣｈチャネル上で受信することになるデータを移動端末が有するのか否かを移動端末が分るように、移動端末へ送信される情報を含む。高速ダウンリンク共有チャネル（ＨＳ−ＤＳＣＨ）と高速共有制御チャネル（ＨＳ−ＳＣＣＨ）とは別のチャネルである。当業者には理解されるであろうが、高速共有制御チャネル（ＨＳ−ＳＣＣＨ）によって搬送されるシグナリングは、ＨＳ−ＳＣＣＨ  ＴＴＩを、対応するＨＳ−ＤＳＣＨ  ＴＴＩより２スロット先に送信することによって行われる。
【００１８】
例示するＨＳＤＰＡスケジューラが、各ユーザ、例えば各ユーザ装置ユニット（ＵＥ）についてのスケジューリングの優先度を判断するためのアルゴリズムを実行する。スケジューリング優先度アルゴリズムは、２つの一次入力を受信する。スケジューリング優先度アルゴリズムのための別個の優先度ファクタが、これらの２つの一次入力の各々について演算され、一緒に乗算される。
【００１９】
スケジューリング優先度アルゴリズムへの第１の入力は、パケットの時間遅延に関連し、第２の入力は、チャネル品質指標（ＣＱＩ）に関連する。
【００２０】
スケジューリング優先度アルゴリズムへの第１の入力は、基地局ノードの送信バッファ内に存在しているユーザ装置ユニット（ＵＥ）宛てのパケットについての時間遅延パラメータである。この第１の入力の結果、優先度遅延ファクタがもたらされるが、これはパケットがバリア関数には古すぎるようになるまで残存時間が経過することによって演算される。例えば、遅延ファクタは、１／残存時間として演算することができる（「残存時間」は、１００の最大遅延ファクタが認められる場合にバッファ内に残された時間であり、その結果は図１Ａの曲線のようになる。）図１Ａに示すように、残存時間が、すなわちパケットが脱落する前の残り時間が５０ｍｓである場合、遅延ファクタは２０である。
【００２１】
この時間遅延パラメータは、複数の他のパラメータ、望ましくはａ、ｂ、ｔ１、ｔ２という４つのパラメータに関連させることができるかまたはそれらの関数であってもよい。図１Ａは、時間遅延パラメータについてのパラメータ化された関数を示し、そして、パラメータｔ１およびｔ２が残存時間の目盛上での制限であり（すなわち、曲線の傾きをいつ変更するかを説明しており）、パラメータａおよびｂがバリア関数の第１の部分の傾きを定義するパラメータであることを示す。従って、遅延ファクタは、残存時間の関数として演算され、
【００２２】
【数１】
2009543436.tif 000003
に示すように、残存時間＝閾値−キュー時間である。
パケットが遅延閾値時間（ｄｔｈ）まで遅延すると、パケットは廃棄される。遅延に基づく優先度関数を図１Ｂに示す。
【００２３】
スケジューリング優先度アルゴリズムへの第２の入力は、チャネル品質指標（ＣＱＩ）、すなわちＣＱＩの測定値および報告値、あるいは単純に搬送波対干渉比（ＣＩＲ）に関連する。チャネル品質指標（ＣＱＩ）優先度ファクタは、現行のＣＱＩ報告値をローパスフィルタを通した以前のＣＱＩ報告値で除した値、あるいは単純にＣＱＩの平均値である。
【発明の概要】
【発明が解決しようとする課題】
【００２４】
セルラーサービスを成功させるには、いくつかの点を考慮する必要がある。そのような考慮の１つは、エリア・カバレージ、例えば地理的カバレージである。サービス提供およびネットワーク設計の際に注意すべきなのは、ユーザ装置ユニット（ＵＥ）が、特にセル境界線かまたはセル内のカバレージの「穴（hole）」の近くで、無線カバレージの劣化に苦しむ可能性があるという事実である。
【００２５】
従って、必要なのは、そして、本発明の目的は、通信システムにおけるセルラーサービスを向上させるための、特に、ＨＳＤＰＡカバレージを向上させるための装置、方法、および技術である。
【課題を解決するための手段】
【００２６】
この技術は、基地局ノードとユーザ装置ユニットとの間の無線インタフェースにおける高速ダウンリンクパケットアクセス（ＨＳＤＰＡ）チャネルに関係する。この技術の１つの態様は、基地局ノードを操作する方法に関わる。この方法は、そのチャネルによって搬送される、基地局ノードとユーザ装置ユニット（ＵＥ）間の無線リンク接続の劣化の指標、例えば劣化しているチャネル品質指標（ＣＱＩ）を得ることと、そして、距離の指標に従って、無線リンク接続の送信優先度を修正することとを含む。劣化の指標は、無線リンク接続に関与するユーザ装置ユニット（ＵＥ）と基地局ノードとの距離またはＣＱＩの距離指標であることが望ましい。送信優先度は、ユーザ装置ユニット（ＵＥ）に対するダウンリンク送信とアップリンク送信のいずれか一方または両方について、例えば向上したアップリンク・スケジューリングの中で、修正することができる。送信優先度は、例えばユーザ装置ユニット（ＵＥ）についての無線リンク接続では、指標の関数として修正されることが望ましい。
【００２７】
第１の例示するモードおよび実施形態では、基地局ノードのＭＡＣ−ｈｓスケジューラが、（例えば、無線リンク接続に関与するユーザ装置ユニット（ＵＥ）についての）無線リンク接続についての公称送信優先度を、第１の入力と第２の入力とを用いて判断する。第１の入力は、基地局ノードの送信バッファ内に存在していてユーザ装置ユニット（ＵＥ）に宛てて無線リンク接続上で送信されることになっているパケットの時間遅延に関連する。第２の入力は、チャネル品質指標（ＣＱＩ）に関連する。ＭＡＣ−ｈｓスケジューラは、公称送信優先度を、指標に関連する第３の入力で修正する。
【００２８】
第２の例示するモードおよび実施形態では、基地局ノードのＭＡＣ−ｈｓスケジューラが、複数のパラメータを用いて時間遅延パラメータを判断する。時間遅延パラメータは、基地局ノードの送信バッファ内に存在していてユーザ装置ユニット（ＵＥ）に宛てて無線リンク接続上で送信されることになっているパケットの遅延の指標である。第２の例示するモードでは、ＭＡＣ−ｈｓスケジューラが、複数のパラメータのうち少なくとも１つの値を指標を用いて調整して、調整された時間遅延を形成し、そして、調整された時間遅延を使用して無線リンク接続のための送信優先度の修正について判断する。
【００２９】
第２の例示するモードおよび実施形態の例示する実装では、基地局ノードからの距離範囲の集合（セット）が、確立される。ＭＡＣ−ｈｓスケジューラが、無線リンク接続に関与するユーザ装置ユニット（ＵＥ）が属する集合に関連する距離範囲に基づいて、複数のパラメータのうち少なくとも１つの値を調整する。複数のパラメータのうち少なくとも１つというのは、ａ、ｂ、ｔ１、ｔ２、およびｄｔｈ、並びに、残存時間パラメータを判断する遅延閾値のうち、いずれか１つ以上であってもよい。これによって、「悪い」無線リンク接続を使うユーザに、データを送信するため、キューの中でより長い時間待たせてしまうことがあるだろう。しかし、注意しなければならないのだが、遅延閾値を増加させるとシステム容量に逆効果を及ぼすことがあるため、すなわち、本当に悪い無線リンク接続が作動しているのにデータはほとんど通過しないため、実際に機能が停止し、従って共有リソースを無駄にすることがある。さらに、ＣＱＩ優先度ファクタを逆に調整してしまうこともあるだろうし、すなわち、ＣＱＩを増加させると、優先度を低下させることになる。
【００３０】
第１および第２のモードおよび実施形態において、指標は、さまざまな実装によって得られる。例えば、第１の例示する距離取得例では、指標は、無線リンク接続に関与するユーザ装置ユニット（ＵＥ）についての送信タイミングアドバンス（ＴＡ）から得られる。第２の例示する距離取得例では、指標は、無線リンク接続に関与するユーザ装置ユニット（ＵＥ）についての搬送波対干渉比（ＣＩＲ）から得られる。
【００３１】
第１のモードおよび実施形態または第２のモードおよび実施形態のいずれかに対する追加または付加として、基地局ノードは、送信出力を修正して、チャネル上での無線リンク接続に用いられることになる修正された送信出力を得ることもでき、その場合、修正された送信出力は、指標に従って修正される。例えば、実装では、（例えば無線リンク接続に関与するユーザ装置ユニットについての）無線リンク接続のための送信出力を、指標の関数として修正することができる。
【００３２】
第１のモードおよび実施形態または第２のモードおよび実施形態のいずれかに対する別の追加または付加として、修正された送信出力を使用して、送信時間間隔の中で無線リンク接続の順序を決定することができる。
【００３３】
本技術の別の態様は、基地局ノード、例えば通信システムのノードＢに関係する。基地局ノードは、基地局ノードとユーザ装置ユニット間の無線インタフェースで高速ダウンリンクパケットアクセス（ＨＳＤＰＡ）チャネルを送信する。基地局ノードは、ＨＳＤＰＡチャネル上で送信するトランシーバと、無線リンク接続についての送信優先度を劣化の指標に従って修正するスケジューラとを備える。劣化の指標は、基地局ノードから無線リンク接続に関与するユーザ装置ユニット（ＵＥ）までの距離の距離指標であってもよい。基地局ノードは、上記にすでに概説した技術、機能、特性を実装するように構成され、配置されてもよい。
【００３４】
前述のおよび他の本発明の目的、特徴、利点は、添付の図面に示す好適実施形態の下記のより詳細な記述から明らかになるであろうが、図面では、参照文字は、各種の図全体を通じて同じ部分を指す。図面は、必ずしも一定の比例に拡大しておらず、その代わりに、本発明の原理を示す強調が施されている。
【図面の簡単な説明】
【００３５】
【図１Ａ】時間遅延パラメータについてのパラメータ化された関数を示すグラフである。
【図１Ｂ】従来型のＨＳＤＰＡチャネルについての遅延に基づく優先度関数を示すグラフである。
【図２】送信ノードと受信ノードとを両方含み、送信ノードはパケットチャネルに関連するパケット・サービス・エンハンサを含むことを特徴とする、例示する通信システムの図である。
【図３】パケットチャネルの良好な運用を保証するため、基地局ノードのエンハンスドスケジューラによってまたはエンハンスドスケジューラに関連して行われる、一般的で代表的な例示する動作を示す概略図である。
【図４】エンハンスドスケジューラの第１の例示する実施形態を含む、例示する通信システムの図である。
【図５】図４のエンハンスドスケジューラによって行われる、例示する送信優先度の判断を示すグラフである。
【図６】エンハンスドスケジューラの第２の例示する実施形態を含む、例示する通信システムの図である。
【図７】送信優先度のゾーンを示すセルの概略図である。
【図８】図６のエンハンスドスケジューラによって行われる、例示する送信優先度の判断を示すグラフである。
【図９】劣化指標を有する無線リンク接続に対しての、送信優先度の修正だけでなく送信出力の修正も容易にするパケットチャネル制御部を含む、例示する通信システムの図である。
【図１０】図９のパケットチャネル制御部によってまたはパケットチャネル制御部に関連して行われる、一般的で代表的な例示する動作を示す概略図である。
【図１１】エンハンスドスケジューラが有利に採用される可能性のある、例示する移動通信システムの図である。
【発明を実施するための形態】
【００３６】
下記の記述においては、限定ではなく説明を目的として、具体的なアーキテクチャ、インタフェース、技術などの具体的な詳細が、本発明の十分な理解を提供するために述べられている。しかし、当業者には明らかであろうが、本発明は、これらの具体的詳細とは異なる他の実施形態の中で実行されることもある。つまり、当業者なら、本書で明示的に記述されるかまたは示されてはいないが、本発明の原理を実施し、本発明の精神と範囲の中に含まれる各種の構成を工夫することができるであろう。時には、不要な詳細で本発明の記述を分りにくくすることのないように、よく知られているデバイス、回路、方法の詳細記述は、省略する。本発明の原理、態様、実施形態を記載する本書のすべての記述およびその具体例は、その構造的同等物および機能的同等物を両方共包含することが意図されている。加えて、そのような同等物には、現在知られている同等物だけでなく、将来開発される同等物、すなわち、構造のいかんを問わず同じ機能を行うような、開発されたいずれかの要素、も含まれることが意図されている。
【００３７】
従って、例えば、当業者であれば理解するであろうが、本書のブロック図は、技術の原則を実施する例示的な回路構成の概念図を表すことができる。同様に、理解されるであろうが、フローチャート、状態遷移図、擬似コードなどはいかなるものであっても、コンピュータ可読媒体の中に実質的に表されてコンピュータまたはプロセッサによって、そのようなコンピュータまたはプロセッサが明示的に示されているか否かを問わず、そのように実行されうる各種のプロセスを表す。
【００３８】
「プロセッサ」または「制御部」というラベルが付けられた機能ブロックを含む各種要素の機能は、専用のハードウェアの使用を通じて提供されてもよいし、適切なソフトウェアに関連してソフトウェアを実行することが可能なハードウェアを通じて提供されてもよい。プロセッサによって提供される場合、機能は、単一の専用プロセッサによって、単一の共有プロセッサによって、あるいは、一部が共有されても分散されてもよい複数の個別プロセッサによって提供されてもよい。さらに、「プロセッサ」または「制御部」という用語の明示的使用は、ソフトウェアを実行することができるハードウェアを排他的に指すと解釈されるべきではなく、そして、限定することなく、デジタル信号プロセッサ（ＤＳＰ）のハードウェア、ソフトウェアを記憶するための読み出し専用メモリ（ＲＯＭ）、ランダム・アクセス・メモリ（ＲＡＭ）、不揮発性メモリを含んでもよい。
【００３９】
この技術の一例としての一般的な実施形態の基本的態様を、図２に示す通信システム２０の中で示す。分りやすいように、通信システム２０は、単純に基地局ノード（例えばノードＢ）２１とユーザ装置ユニット（ＵＥ）２３の形のワイヤレスノードとを備えているとして示す。通信システム２０は、少なくとも１つのダウンリンク・パケット・チャネル２５が基地局ノード２１とユーザ装置ユニット（ＵＥ）２３の間の無線インタフェース２７上に存在するように構成される。加えて、１つ以上のアップリンク・パケット・チャネル、例えばアップリンク・パケット・チャネル２９が、無線インタフェース２７の両端間を第２の方向へ（例えばユーザ装置ユニット（ＵＥ）２３から基地局ノード２１へ）送信される。アップリンク・パケット・チャネル２５は、高速ダウンリンクパケットアクセス（ＨＳＤＰＡ）チャネルであり、ダウンリンク・パケット・チャネル２９は、Ｅ−ＤＣＨチャネルであることが望ましい。
【００４０】
ここに関連する限り、基地局ノード２１は、パケットハンドラ３１と、１つ以上のトランシーバ３３と、エンハンスドスケジューラ機能またはユニット３５を含むとして示す。パケットハンドラ３１は、別のパケットフローから基地局ノード２１に到来するパケットがその中に記憶される複数のパケットキュー３７−１〜３７−Ｎを含む。各キュー３７は、ＨＳＰＤＡチャネル２５を利用して別のユーザ装置ユニット（ＵＥ）に関連付けられてもよいし、あるいは、（１つのユーザ装置ユニット（ＵＥ）は、複数の無線リンク接続を有することもあるから）そのＨＳＤＰＡチャネルを利用して別の無線リンク接続に関連付けられてもよい。基地局ノード２１はさらに、チャネルモニタ４１と電力制御部６９とを含む。
【００４１】
エンハンスドスケジューラ３５は、ＨＳＰＤＡチャネルを利用して各装置ユニット（ＵＥ）または各無線リンク接続の優先度を判断する。例えば、ある装置ユニット（ＵＥ）または無線リンク接続がより高い送信優先度を有するとエンハンスドスケジューラ３５が判断する場合、そのような装置ユニット（ＵＥ）または無線リンク接続は、ＨＳＰＤＡチャネル上で優先的なスケジューリング（例えばリソースの優先的割当て）を与えられる。本書で以下に用いられた場合、ユーザ装置ユニット（ＵＥ）への言及は、ユーザ装置ユニット（ＵＥ）に関与する無線リンク接続への言及をも包含し、逆も同様である。従って、修正されるのは、無線リンクがその一部であるかまたはそこからリソースを取るような共有リソース（ＨＳ−ＤＳＣＨ）を用いてノードＢがデータを送信すべきＵＥが他にも数ある中で、ノードＢが特定の無線リンク接続上で所与のユーザ装置ユニットへデータを送信すべきであるという優先度なのである。
【００４２】
各無線リンク接続に割当てられる優先度を表すため、図２にエンハンスドスケジューラ３５がそれぞれの無線リンク接続についてのパケットキュー３７に出力信号を適用する様子を示すが、それぞれの無線リンク接続はこれらのキューによって表される。図を簡単にするため、各パケットキュー３７に適用される優先度信号は、エンハンスドスケジューラ３５によって提供されるスケジューリング優先度による、各パケットキュー３７からのコンテンツのゲーティングを表す。当業者であれば、キューからのパケットのゲーティングよりすぐれた、スケジューリングの実装に関わることのある他の動作を理解するであろう。
【００４３】
有利なことに、エンハンスドスケジューラ３５は、パケットチャネルによって搬送される無線リンク接続の劣化指標（例えば「劣化指標」）の指標に従ってユーザ装置ユニット（ＵＥ）についての送信優先度を修正することができる。従って、図２に示すエンハンスドスケジューラ３５は、劣化依存スケジューラであると示されている。本書で以下に説明するように、劣化指標は、基地局ノードからユーザ装置ユニット（ＵＥ）までの距離の距離指標であってもよく、それは（例えば）送信タイミング調整（ＴＡ）および／またはチャネル品質指標（ＣＱＩ）であってもよい。
【００４４】
図２は、ユーザ装置ユニット（ＵＥ）２３を１つだけ示しているけれども、基地局２１は通常、多数のユーザ装置ユニット（ＵＥ）にサービス提供することが理解されるべきである。たまたま示されている例示するユーザ装置ユニット２３は、パケットハンドラ５１とトランシーバ５３とを含む。パケットハンドラ５１は、パケットキュー５７を含み、基地局ノード２１からパケットチャネル２５上でユーザ装置ユニット２３に到来するパケットがそのキューの中に記憶され、そしてそこからパケットが抽出されて、ユーザ装置ユニット２３によって実行されるアプリケーション５９の中で用いられる。そのようなサービスまたはアプリケーションは、例えばＩＰ電話（ＶｏＩＰ）であってもよい。またユーザ装置ユニット（ＵＥ）２３は、チャネルモニタ７２を含む。
【００４５】
図３は、パケットチャネル２５の良好な運用を保証するため、基地局ノード２１のエンハンスドスケジューラ３５によって行われる、一般的で代表的な例示する基本的なステップまたは動作を示す。図３のステップは、パケットチャネル２５の進行中の動作に関連して行われると理解され、進行中の動作とは、例えば、パケットのソース（例えばＶｏＩＰのようなアプリケーション）から基地局ノード２１によってパケットを受信すること、パケットのソースから受信したパケットをパケットキュー３７の中に記憶すること、パケットキュー３７に記憶されたパケットを無線インタフェース２７の両端間を無線リンク上でユーザ装置ユニット２３へ送信すること、送信されたパケットをユーザ装置ユニット２３によって受信すること、そして、ユーザ装置ユニット２３によって受信されたパケットをパケットキュー５７に記憶してアプリケーション５９によって使用することなどである。
【００４６】
基本的に図３は、動作３−１として、エンハンスドスケジューラ３５が、ＨＳＤＰＡパケットチャネル２７を利用する無線リンク接続の実際の劣化または見込まれる劣化の指標を（例えば報告として）受信するかまたは（例えば監視することによって）得ることを示す。例えば、劣化の指標が、セルの境界線に接近中のまたは近づいているユーザ装置ユニット（ＵＥ）との無線リンク接続に関して受信されてもよい。動作３−２として、エンハンスドスケジューラ３５は、劣化を経験しているＨＳＤＰＡチャネルを用いた無線リンク接続に対して、より高い送信優先度を割当てる。エンハンスドスケジューラ３５が劣化の指標を有するＨＳＤＰＡチャネルによって搬送される無線リンク接続については、エンハンスドスケジューラ３５は基本的に、そのような無線リンク接続に関してエンハンスメント・モードに入る。後述の例示する実施形態およびモードで示すように、劣化の指標は、多様なやり方でエンハンスドスケジューラ３５に提供されるかまたはエンハンスドスケジューラ３５によって得られてもよく、より高い送信優先度を配分するかまたは割当てるため、さまざまな技法が実施されてもよい。
【００４７】
図４は、エンハンスドスケジューラ３５（４）の第１の例示する実施形態を有する基地局ノード２１（４）を含む、例示する通信システム２０（４）を示す。図４では、パケットチャネル２５は、ＭＡＣ−ｈｓパケットを基地局ノード２１（４）からユーザ装置ユニット２３（４）へ搬送する高速ダウンリンクパケットアクセス（ＨＳＤＰＡ）チャネルである。図４のＨＳＤＰＡチャネル２５上で搬送されるパケットは、到来パケット、たとえば到来するサービス・データ・ユニット（ＳＤＵ）、から入手されるかまたは形成される。各ＳＤＵは、シーケンス番号（例えば、送信シーケンス番号［ＴＳＮ］を有しており、各ＳＤＵがＴＳＮの順序で受信されない場合には到来するＳＤＵを順序付けし直すのにそれを利用することができる。
【００４８】
図４の実施形態では、送信するノードＢ２１（４）は、ＭＡＣエンティティ６１（４）を含む。ノードＢ２１（４）のＭＡＣエンティティ６１（４）は、パケットチャネル制御部６３（４）とエンハンスドスケジューラ３５（４）とを両方共ホストするかまたは含む。エンハンスドスケジューラ３５（４）は、パケットチャネル制御部６３（４）に含まれてもよいし、それと関連して動作してもよい。またパケットハンドラ３１（４）も、パケットキュー３７−１〜３７−Ｎを含むのに加えて、パケットキュー３７−１〜３７−Ｎにそれぞれ関連するＴ１タイマ６７−１〜６７−Ｎを含む。各Ｔ１タイマ６７は、そのキューおよび対応する無線リンク接続に関連するパケットフローに関して欠落したＰＤＵを（例えば欠落したＰＤＵの後で次のＰＤＵを受信することによって）検出することによって初期化される。加えて、ノードＢ２１（４）は、トランシーバ３３に加えられるかまたは利用される電力を制御するためにサービス提供する電力制御ユニット６９を含む。
【００４９】
また図４のユーザ装置ユニット２３（４）は、（ＭＡＣエンティティ７１（４）として示す）ＭＡＣエンティティを含むことが望ましい。よく知られているように、ＭＡＣ−ｈｓはＷＣＤＭＡ／ＵＭＴＳセルラーシステムのノードＢに存在する媒体アクセス制御（ＭＡＣ）プロトコルである。ＵＥ２３（４）のＭＡＣエンティティ７１（４）は、エンハンスドスケジューラ３５（４）と、パケットハンドラ５１（４）と、（任意で）チャネルモニタ７２とをホストする。またエンハンスドスケジューラ３５（４）は、ＭＡＣ−ＨＳスケジューリング・アルゴリズムを実行するユニットまたはロジックとみなすこともできる。パケットハンドラ５１（４）は、パケットキュー５７（４）に加えて、自分自身のＴ１タイマ７７（４）を含む。ＵＥ２３（４）は、ＵＥのトランシーバ５３に加えられるかまたは利用される電力を制御するためにサービス提供する電力制御ユニット７９を含む。
【００５０】
また図４は、優先度ロジック／ユニット８３（４）および優先度ファクタ・メモリ・レジスタまたは位置の集合８５を含めて、エンハンスドスケジューラ３５（４）の例示する構成要素である機能性を示す。優先度ロジック／ユニット８３（４）は、図４の各無線リンク接続の関連するパケットキュー３７によって表される、各無線リンク接続についての送信優先度計算を実行する。例えば、パケットキュー３７−ｘを有する無線リンク接続「ｘ」について、エンハンスドスケジューラ３５（４）は、送信優先度の個別の計算または判断を行う。エンハンスドスケジューラ３５（４）によって行われる送信優先度の計算または判断は、優先度ファクタを利用する。エンハンスドスケジューラ３５（４）によって処理される第１の無線リンク接続については、集合８５は、優先度ファクタ８５−１の部分集合を含み、エンハンスドスケジューラ３５（４）によって処理されるＮ番目の無線リンク接続については、集合８５は、優先度ファクタ８５−Ｎの部分集合を含み、第１の接続とＮ番目の接続の間の各無線リンク接続についても同様である。
【００５１】
図４の実施形態のエンハンスドスケジューラ３５（４）は、ＨＳＤＰＡチャネル２５上で搬送される無線リンク接続についての送信優先度の計算／判断について、３つの優先度ファクタを利用する。上記から理解されるように、ＨＳＤＰＡチャネルで搬送される各無線リンク接続は、優先度ファクタの自分自身の部分集合をメモリ８５に記憶する。図４は特に、第１の無線リンク接続についての３つの優先度ファクタ、すなわち、遅延ファクタ８７（３）、ＣＱＩファクタ８８（３）および距離ファクタ８９（３）を示す。エンハンスドスケジューラ３５（４）は、ＨＳＤＰＡチャネルで搬送される各無線リンク接続について、３つの同じタイプのファクタを有するが、各無線リンク接続のファクタの値は、接続ごとに異なっていてもよいし、異なっている可能性もある。
【００５２】
図４の実施形態では、遅延ファクタ８７（４）およびＣＱＩファクタ８８（３）は、従来から採用されているものと本質的に同じタイプのファクタである。すなわち、遅延ファクタ８７（３）は、パケットがバリア関数には古すぎるようになるまで残存時間が経過することによって、演算することができ、そして、前述したように、複数の他のパラメータ、望ましくはａ、ｂ、ｔ１、ｔ２、さらにはｄｔｈというパラメータに関連させることができるかまたはそれらの関数であってもよい。これも前述したことだが、ＣＱＩファクタ８８（３）は、修正された最大のコモンインデックスプロトコル（ＣＩＲ：Common Indexing Protocol）計算であってもよく、その場合、ＣＱＩは、ＣＱＩのローパスフィルタをかけた測定値で除算される。
【００５３】
図４の実施形態は、特に、送信優先度が計算されているかまたは査定されている無線リンク接続が経験する劣化の度合いに依存するかまたはそれを反映する第３の優先度ファクタを利用する点で、従来技術とは異なる。図４に示す特定のモードでは、この劣化を示すファクタは、エンハンスドスケジューラ３５（４）が存在する基地局ノード２１から無線リンク接続に関与するユーザ装置ユニット（ＵＥ）までの距離の、距離指標である。従って、その例示する由来の理由から、図４ではこの第３のファクタを「距離ファクタ」とラベル付けする。
【００５４】
また本書では遅延ファクタ８７（３）もＰｄｅｌａｙと表され、本書ではＣＱＩファクタ８８（３）もＰＣＱＩと表され、本書では距離ファクタもＰＤＩＳＴＡＮＣＥと表される。上述したように、この第３のファクタである距離ファクタ８９（３）すなわちＰＤＩＳＴＡＮＣＥは、ユーザ装置ユニット（ＵＥ）と基地局ノード２１間の距離の関数であってもよい。従って、図４の実施形態では、エンハンスドスケジューラ３５（４）は、第３の入力、すなわち劣化を示す第３のファクタ（例えば距離）を追加し、従って、
【００５５】
【数２】
2009543436.tif 000004
に従って優先度（Ｐ）を（図３の動作３−２として）演算または判断する。
【００５６】
図５は、３つの異なる無線リンク接続について、例えば３つの異なるユーザ装置ユニットについて、式２のタイプの優先度判断を用いて図４のエンハンスドスケジューラ３５（４）によって行われる送信優先度の判断を示すグラフである。図５では、曲線ＬＤは、基地局ノード２１（４）から遠い距離に位置するユーザ装置ユニット（ＵＥ）についての送信優先度を表し、曲線ＳＤは、基地局ノード２１（４）から近い距離に位置するユーザ装置ユニット（ＵＥ）についての送信優先度を表し、曲線ＩＤは、基地局ノード２１（４）から中程度の距離に位置するユーザ装置ユニット（ＵＥ）についての送信優先度を表す。別の見方をすると、ＬＤは、「悪い品質の」チャネルを意味する可能性があり、ＩＤは、「中程度の品質の」チャネルを意味する可能性があり、ＳＤは、「良い品質のチャネル」を意味する可能性がある。図５の縦軸は、残存時間を示すが、これはパケットが脱落する前の残り時間であり、すなわち、残存時間＝閾値−キューに並ぶ時間である。「残り時間」が少ないほど（パケットが脱落する前は、キューに並ぶ時間＞＝閾値）、優先度が高くなる。図５の横座標は、優先度を高めることに相当する。
【００５７】
上記のように、図４の実施形態については、第３のファクタ、例えば距離ファクタ８９（３）すなわちＰＤＩＳＴＡＮＣＥは、ユーザ装置ユニット（ＵＥ）と基地局ノード２１の間の距離の関数である可能性がある。距離は、送信のタイミングアドバンス（ＴＡ）および／または搬送波対干渉比（ＣＩＲ）報告あるいはＣＱＩ報告を調べることによって取得できる。例えば、ＴＡおよび／またはＣＩＲ報告は、ＦＤＩＳＴＡＮＣＥ（ＴＡ、ＣＩＲ）関数を使って重み付けして、距離ファクタ８９（３）すなわちＰＤＩＳＴＡＮＣＥを形成してもよい。関数ＦＤＩＳＴＡＮＣＥは、さまざまな形態をとることができるが、距離と共に増加すべきである（例えば、距離と共に指数関数的に増加する）。また、線形に倍率変更されて、この時期の送信時間間隔（ＴＴＩ）にスケジュールに組まれることになるユーザの数または無線接続の数を入力として取り入れてもよいだろう。
【００５８】
図６は、エンハンスドスケジューラ３５（６）の第２の例示する実施形態を有する基地局ノード２１（６）を含む、例示する通信システム２９（４）を示す。図６の実施形態のエンハンスドスケジューラ３５（６）は、各無線リンク接続について送信優先度が演算される方法が、図４の実施形態のエンハンスドスケジューラ３５（４）とは本質的に異なる。新たな優先度ファクタ（例えば新たな距離ファクタ）を入力としてその優先度ロジック／ユニット８３（６）に追加する代わりに、エンハンスドスケジューラ３５（６）は、遅延ファクタ８７（６）を構成する１つ以上のパラメータを変更することによって、無線リンク接続についての遅延ファクタ８７（６）を代わりに変更する。変更されるそのようなパラメータは、前述のパラメータであり、例えば、ａ、ｂ、ｔ１、ｔ２、および遅延閾値時間（ｄｔｈ）である。
【００５９】
図６の実施形態では、遅延ファクタ８７（６）を構成するパラメータの変更は、劣化を被っている無線リンク接続に関与する基地局ノード２１とユーザ装置ユニット（ＵＥ）２１の間の距離に基づく。これを目的として図６は、遅延ファクタ８７（６）を構成するパラメータの値は、無線リンク接続についてのユーザ装置ユニット（ＵＥ）が、複数の見込まれる距離間隔のうちのどれに分類されるかに依存するということを示す。言い換えると、ユーザ装置ユニット（ＵＥ）と基地局ノード２１とを隔てている距離は判断基準であり、その判断基準によってユーザ装置ユニット（ＵＥ）は、従ってユーザ装置ユニット（ＵＥ）が参加している無線リンク接続は、複数の距離間隔のうちの１つに分類される。例えば、図６は、セルがｊ個の距離間隔を有し、（基地局ノード２１に最も近いユーザ装置ユニットについての）最も近い間隔は間隔１であり、（基地局ノード２１から最も離れたユーザ装置ユニットについての）最も遠い間隔は間隔ｊであることを示す。ユーザ装置ユニット（ＵＥ）が距離間隔１に分類される場合、送信優先度計算のための遅延ファクタは、距離間隔１に関連するパラメータ値によって判断される。例えば、第１の無線リンク接続に参加しているユーザ装置ユニット（ＵＥ）が（その距離に基づいて）距離間隔１に所在すると分類される場合、その無線リンク接続についての遅延ファクタ８７（６）は、第１の距離間隔１に関連するパラメータａ１、ｂ１、ｔ１１、ｔ２１の関数である。他方、ユーザ装置ユニット（ＵＥ）がセルの境界線に所在するか又はその近くに所在する場合、例えばその無線リンク接続についての遅延ファクタ８７（６）は、最も離れた距離間隔ｊに関連するパラメータａｊ、ｂｊ、ｔ１ｊ、ｔ２ｊの関数である。
【００６０】
従って、図６の実施形態についての一例である実装では、距離間隔グループ毎に特定の優先度関数がある。それゆえ、距離に応じて、ユーザ装置ユニット（ＵＥ）には、その具体的な間隔に割当てられた優先度関数から計算された、その送信優先度が与えられる。例えば、図７は、同心円状のカバレージのゾーンまたはエリアを有することを概念的に説明する、一例としてのセルを示す。真ん中にあるゾーンは、優先度関数ＡまたはパラメータセットＡに関連し、次に中心に近いゾーンは、優先度関数ＢまたはパラメータセットＢに関連し、以下同様に、優先度関数ＤまたはパラメータセットＤに関連する最も外側のゾーンまで広がる。距離グループの数、例えば、距離間隔の数は、実施の際に選択する。
【００６１】
ユーザ装置ユニット（ＵＥ）がどの距離間隔に入るかは、第１の例示する実施形態と同様のやり方で、送信タイミングアドバンス（ＴＡ）および／または搬送波対干渉比（ＣＩＲ）報告またはＣＱＩ報告を調べることによって判断してもよい。
【００６２】
図８は、３つの異なる無線リンク接続、例えば３つの異なるユーザ装置ユニットについて（例えば距離間隔を使って）説明したばかりのタイプの優先度判断を用いて、図６のエンハンスドスケジューラ３５（６）によって行われる送信優先度の判断を示すグラフである。図８では、曲線ＬＤは、基地局ノード２１（６）から遠い距離に位置するユーザ装置ユニット（ＵＥ）についての送信優先度を表し、曲線ＳＤは、基地局ノード２１（６）から近い距離に位置するユーザ装置ユニット（ＵＥ）についての送信優先度を表し、曲線ＩＤは、基地局ノード２１（６）から中程度の距離に位置するユーザ装置ユニット（ＵＥ）についての送信優先度を表す。図５の場合と同様、別の見方をすると、ＬＤは、「悪い品質の」チャネルを意味する可能性もあり、ＩＤは、「中程度の品質の」チャネルを意味する可能性があり、ＳＤは、「良い品質のチャネル」を意味する可能性がある。図８の縦軸は残存時間である。図８の横座標は、優先度を高めることに相当する。
【００６３】
本書で記述するエンハンスドスケジューラ３５は、個別のハードウェア回路を用いて、１つ以上の適切にプログラムを組まれたデジタルマイクロプロセッサまたは汎用コンピュータに関連して使うソフトウェアプログラムおよびデータを用いて、特定用途向け集積回路（ＡＳＩＣ）を用いて、および／または１つ以上のデジタル信号プロセッサ（ＤＳＰ）を用いて実装されてもよい。エンハンスドスケジューラ３５の各種の他の機能性および本明細書で記述されていない基地局ノード２１のＨＳＤＰＡ関連エンティティは、２００４年１２月３０日に出願され、「FLOW CONTROL AT CELL CHANGE FOR HIGH-SPEED DOWNLINK PACKET ACCESS」と題された米国特許出願第１１／０２４，９４２号を参照して理解される。
【００６４】
第１および第２のモードおよび実施形態の記述に関連して述べたように、図３の動作３−１によって表される劣化の指標は、さまざまな実装によって得られる。例えば、第１の例示する距離取得例では、指標は、ユーザ装置ユニット（ＵＥ）についての送信タイミングアドバンス（ＴＡ）から得られる。第２の例示する距離取得例では、指標は、ユーザ装置ユニット（ＵＥ）についての搬送波対干渉比（ＣＩＲ）から得られる。これを目的として図４は、動作３−１で表される劣化の指標は、チャネルモニタ４１から得られるということを示す。
【００６５】
当技術分野では既知であるように、送信タイミングアドバンス（ＴＡ）は、物理層での測定値から得られる。ユーザ装置ユニットは、トレーニングシーケンスと呼ばれるシンボルのシーケンスを送信し、それをノードＢ／基地局が捕捉する。トレーニングシーケンスの間中、ノードＢは、ユーザ装置ユニットと同期することができ、タイミングアドバンス（ＴＡ）をユーザ装置ユニットへ送信する。送信タイミングアドバンス（ＴＡ）の使用については、例えばGERAN SUBSYSTEM: 3GPP TS 45.010 V6.6.0(2005-11)、WCDMA: 3GPP TS 25.402 V6.3.0(2005-06)に記述されている。
【００６６】
またＣＩＲ（報告）も、物理層での測定値から得られる。ＣＩＲ報告は、３ＧＰＰ  ＷＣＤＭＡリリース６標準の一部である。ＳＩＲがＣＩＲに関連付けられていること（例えばＳＩＲ＝利得＊ＣＩＲ）に留意して、例えば3GPP TS 25.215を参照されたい。
【００６７】
一部の実装では、別個の新規の距離優先度ファクタを追加する第１の実施形態およびモードに比べて、距離に依存する遅延優先度関数に関与する第２の実施形態およびモードの方が望ましいことがあり、遅延優先度関数のパラメータ変更によって得られる高解像度のおかげでＣＩＲトップをよりよく利用できることがある。
【００６８】
また、第１のモードおよび実施形態または第２のモードおよび実施形態のいずれかに対する追加または付加として、基地局ノードは、送信出力を修正して、チャネル上での無線リンク接続に用いられることになる修正された送信出力を得ることもでき、その場合、修正された送信出力は、指標に従って修正される。例えば、実装では、（例えば無線リンク接続に関与するユーザ装置ユニットについての）無線リンク接続のための送信出力を、指標の関数として修正することができる。
【００６９】
図９は、前述の修正された送信出力の態様を、代表的で一般的なかたちで実装する、別の例示する通信システム２０（９）を示す。ほとんどの点で、図９の基地局ノード２１（９）は、図２の基地局ノード２１に似ている。図９では、エンハンスドスケジューラ３５（９）がパケットチャネル制御部６３（９）に含まれることを示す。
【００７０】
図１０は、パケットチャネル２５の良好な運用を保証するため、基地局ノード２１（９）の図９のパケットチャネル制御部６３（９）およびエンハンスドスケジューラ３５（９）によって行われる、一般的で代表的な例示する基本的なステップまたは動作を示す。図１０のステップは、パケットチャネル２５の進行中の動作、例えば前述したような進行中のステップに関連して行われると理解される。
【００７１】
基本的に図１０は、動作１０−１として、パケットチャネル制御部６３（９）が、ＨＳＤＰＡパケットチャネル２７を利用する無線リンク接続の実際の劣化または見込まれる劣化の指標を（例えば報告として）受信するかまたは（例えば監視することによって）得ることを示す。例えば、劣化の指標が、セルの境界線に接近中のまたは近づいているユーザ装置ユニット（ＵＥ）との無線リンク接続に関して受信されてもよい。動作１０−１Ａとして、劣化の指標が、エンハンスドスケジューラ３５（９）に言及されるか他のかたちで利用できるようにされる。動作１０−２として、エンハンスドスケジューラ３５は、劣化を経験しているＨＳＤＰＡチャネルを用いた無線リンク接続に対して、より高い送信優先度を割当てる。エンハンスドスケジューラ３５（９）が劣化の指標を有するＨＳＤＰＡチャネルによって搬送される無線リンク接続については、エンハンスドスケジューラ３５（９）は基本的に、そのような無線リンク接続に関してエンハンスメント・モードに入る。前述の例示する実施形態およびモードで分るように、劣化の指標は、多様なやり方でエンハンスドスケジューラ３５に提供されるかまたはエンハンスドスケジューラ３５によって得られてもよく、より高い送信優先度を配分するかまたは割当てるため、さまざまな技法が実施されてもよい。加えて、エンハンスドスケジューラ３５（９）が劣化の指標を有するＨＳＤＰＡチャネルによって搬送される無線リンク接続に対しては、動作１０−３として（図９および図１０を両方共参照されたい）、パケットチャネル制御部６３（９）が、より高い送信出力を割当てるかまたは要求する。１０−３の動作は、影響を受けた無線リンク接続の電力レベルかまたは、影響を受けた無線リンク接続の電力レベルを電力制御部６９が自分自身で計算するときに電力制御部６９によって用いられることになる追加の修正ファクタかいずれか一方を、パケットチャネル制御部６３（９）が電力制御部６９に対して送信することに関するかまたは送信することであってもよい。
【００７２】
従って、図９の実施形態と図１０のモードとによって、基地局ノード２１（９）は、各ユーザについての、例えば各無線リンク接続についての、電力レベルまたは電力ファクタを計算する。動作１０−３の結果として、電力ファクタ（Ｐｐｏｗｅｒ−ｄｉｓｔａｎｃｅ）または電力レベルは、ユーザ装置ユニット（ＵＥ）２３とノードＢ２１（９）の間の推定される地理的距離の関数である。前に説明したように、そのような距離は、送信タイミングアドバンス（ＴＡ）および／またはＣＩＲ報告を調べることによって取得できる。
【００７３】
一例である実装では、パケットチャネル制御部６３（９）が電力ファクタ（Ｐｐｏｗｅｒ−ｄｉｓｔａｎｃｅ）を計算して出力する場合、来るべきＴＴＩで送信が予定される各ユーザ（例えば各無線リンク接続）についてそのように行う。電力ファクタ（Ｐｐｏｗｅｒ−ｄｉｓｔａｎｃｅ）に基づいて、ユーザは送信出力を相対的に配分される。基本的に、この実装では、電力ファクタ（Ｐｐｏｗｅｒ−ｄｉｓｔａｎｃｅ）の値は、電力制御部６９に対する別の入力であり、従って電力制御部６９は、ユーザがどれだけの電力を受信しているべきかを判断することができる。この距離依存の電力ファクタ（Ｐｐｏｗｅｒ−ｄｉｓｔａｎｃｅ）の結果として、遠距離ユーザは、基地局ノード２１（９）の場所に近い方のユーザより大きな電力を配分されるべきである。
【００７４】
第１のモードおよび実施形態または第２のモードおよび実施形態のいずれかに対する別の追加または付加として、修正された送信出力を使用して、送信時間間隔の中で無線リンク接続の順序を判断することができる。つまり、シーケンシャルなコード割当てが用いられる高負荷シナリオでは、すなわち、例えばＨＳＤＰＡの中の共有チャネルの同じ送信時間間隔（ＴＴＩ）の間に複数のユーザがデータを受信している場合、電力ファクタＰｐｏｗｅｒ−ｄｉｓｔａｎｃｅ（従って、距離）は、ＴＴＩを使用するためにユーザに設定される順序を設定するのに用いられてもよい。一般に、ＴＴＩの最初のユーザは、ＴＴＩの後続ユーザよりも多量の電力を使用することができる。
【００７５】
本書で記述される技術は、パケットサービス、例えばＶｏＩＰサービスのカバレージを有利に増加させる。図１１は、無線アクセスネットワーク１２０が１つ以上の外部（例えばコア）ネットワーク１２２に接続することを特徴とする、例示する限定されない通信システムを示す。外部ネットワーク１２２には、例として、例えば公衆交換電話網（ＰＳＴＮ）および／または統合デジタル通信網（ＩＳＤＮ）のような接続本位ネットワークが含まれてもよいし、および／または、例えばインターネットのようなコネクションレスの外部コアネットワークが含まれてもよい。１つ以上の外部ネットワークは、図示しない在圏ノード、例えば移動通信交換局（ＭＳＣ）ノードおよびゲートウェイＧＰＲＳサポートノード（ＧＧＳＮ）と関連して動作する在圏汎用パケット無線サービス（ＧＰＲＳ）サポートノードを有する。
【００７６】
各コアネットワーク・サービス・ノードは、適切なインタフェース上で無線アクセスネットワーク（ＲＡＮ）１２０に接続する。図１１に示す、特定の限定しない例において、無線アクセスネットワーク（ＲＡＮ）１２０は、ＵＭＴＳ地上無線アクセス網であり、外部ネットワークとのインタフェースは、Ｉｕインタフェース上である。無線アクセスネットワーク（ＲＡＮ）１２０は、１つ以上の無線ネットワーク制御装置（ＲＮＣ）１２６および１つ以上の無線基地局（ＲＢＳ）１２８を含む。話を簡単にするために、図１１の無線アクセスネットワーク１２０は、ＲＮＣノードを具体的にはＲＮＣ１２６１とＲＮＣ１２６２の２つだけ持つことを示す。各ＲＮＣ１２６は、Ｉｕｂインタフェース上で１つ以上の基地局（ＢＳ）１２８に接続する。例えば、そして、この場合もやはり話を簡単にするために、２つの基地局ノードが各ＲＮＣ１２６に接続することを示す。この点で、ＲＮＣは、基地局１２８１−１および基地局１２８１−２にサービス提供し、他方、ＲＮＣ１２６は、基地局１２８２−１および基地局１２８２−２にサービス提供する。理解されるであろうが、各ＲＮＣが、異なる数の基地局にサービス提供してもよいし、またＲＮＣが、同じ数の基地局にサービス提供する必要もない。さらに、図１１は、ＲＮＣが、Ｉｕｒインタフェース上でＵＴＲＡＮ１２４の中の１つ以上のＲＮＣに接続されてもよいことを示す。さらに、当業者であれば、各種の前述の実施形態の議論に関連して呼ばれたように、当技術分野では基地局が時には無線基地局、ノードＢ、Ｂノードと呼ばれることも理解するであろう。図１１の例では、無線ネットワーク制御ノードは、無線基地局ノードより「上位」のノードであると考えられる。
【００７７】
理解されるべきだが、無線アクセスネットワークの少なくとも１つかまたはたぶん複数のＲＮＣが、１つ以上のコアネットワークへのインタフェースを有する。さらに、無線アクセスネットワーク内の異なるＲＮＣによって制御されるセル間をＵＥが移動している場合に、確立された接続の継続をサポートすることを目的として、シグナリングネットワーク（例えばシグナリングシステムＮｏ７）が、必要なＲＮＣ−ＲＮＣシグナリングをＲＮＣが行えるようにする。
【００７８】
図示された実施形態では、話を簡単にするため、各基地局１２８は１つのセルにサービス提供することを示す。例えば基地局１２８１−２について、セルは円で表す。しかし当業者には理解されるであろうが、基地局は、２つ以上のセルについての無線インタフェースの両端間で通信するためにサービス提供してもよい。例えば、２つのセルが、同じ基地局設置場所にあるリソースを利用してもよい。さらに、各セルが、２つ以上のセクタに分割され、各セクタが１つ以上のセル／搬送波を有していてもよい。
【００７９】
図１１に示すように、移動端末（ＭＴ）１３０は、１つ以上のセルまたは１つ以上の基地局（ＢＳ）１２８と無線インタフェース１３２上で通信する。異なる実施形態では、移動端末（ＭＴ）１３０は、例えばワイヤレス端末、移動局またはＭＳ、ユーザ装置ユニット、ハンドセットまたはリモートユニットなど、異なる名前で知られてもよい。各移動端末（ＭＴ）は、無数のデバイスまたは装置のうち、例えば携帯電話、モバイルラップトップ、ポケベル、携帯情報端末、または他の類似の移動デバイス、ＳＩＰ電話、マイクロソフト社のネットミーティング、プッシュトゥトーク・クライアントなどのリアルタイムアプリケーションを備えた据置き式コンピュータおよびラップトップなど、いかなるものであってもよい。無線アクセスネットワーク（ＲＡＮ）２０の少なくともＵＴＲＡＮ実装については、無線アクセスは、広帯域符号分割多元接続（ＷＣＤＭＡ）を利用し、個別の無線チャネルがＣＤＭＡ拡散コードを用いて配分されることが望ましい。もちろん、他のアクセス方法が採用されてもよい。
【００８０】
さらに図１１は、制御データとユーザデータとを転送するため、基地局１２８のうちの１つと移動端末（ＭＴ）１３０との間に異なるタイプのチャネルが存在してもよいことを、簡易なかたちで示す。例えば、フォワードつまりダウンリンク方向では、複数のタイプの同報チャネルと、１つ以上の制御チャネルと、１つ以上の共通トラヒックチャネル（ＣＣＨ）と、専用トラヒックチャネル（ＤＰＣＨ）と、そして、本書で特に関心のある高速ダウンリンク共有チャネル（ＨＳ−ＤＳＣＨ）とがある。ダウンリンク専用物理チャネル（ＤＰＣＨ）は、専用物理データチャネル（ＤＰＤＣＨ）と専用物理制御チャネル（ＤＰＣＣＨ）とを両方とも搬送する。前述のＥ−ＤＣＨチャネルおよびＥ−ＨＩＣＨチャネルも図１１に示す。高速ダウンリンク共有チャネル（ＨＳ−ＤＳＣＨ）と高速共有制御チャネル（ＨＳ−ＳＣＣＨ）とは、別のチャネルである。当業者には理解されるであろうが、高速共有制御チャネル（ＨＳ−ＳＣＣＨ）によって搬送されるシグナリングは、ＨＳ−ＳＣＣＨ  ＴＴＩを、対応するＨＳ−ＤＳＣＨ  ＴＴＩより２スロット先に送信することによって行われる。ＨＳ−ＳＣＣＨは、ＨＳ−ＰＤＳＣｈチャネル上で受信するデータを移動端末が有するか否かを移動端末が分るように、移動端末へ送信される情報を含む。
【００８１】
ＲＮＣ１２６は、ＨＳＤＰＡをサポートするようにセルを構成する。その後、それぞれのＴＴＩ送信で必要な電力と符号の量とを配分するのはノードＢ１２８の責任である。
【００８２】
図１１に示すように、ノードＢは、ＨＳＰＤＡチャネルのためのＭＡＣ−ｈｓエンティティ１６３と、Ｅ−ＤＣＨチャネルのためのＭＡＣ−ｅエンティティ１４２とを含む。ＭＡＣ−ｈｓエンティティ１４０は、前述のエンハンスドスケジューラ、例えばエンハンスドスケジューラ１３５の実施形態を含んでもよい。同様に、ＵＥ１３０は、ＨＳＰＤＡチャネルのためのＭＡＣ−ｈｓエンティティ１５０と、Ｅ−ＤＣＨチャネルのためのＭＡＣ−ｅエンティティ１５２とを含む。
【００８３】
理解されるであろうが、前述の１つ以上の実施形態および本明細書によって包含されるその他の実施形態において、ＭＡＣ−ｈｓエンティティ、ＭＡＣ−ｅエンティティおよび／またはパケット・サービス・エンハンサは、個別のハードウェア回路を用いて、１つ以上の適切にプログラムされたデジタルマイクロプロセッサまたは汎用コンピュータに関連するソフトウェアプログラムおよびデータを用いて、特定用途向け集積回路（ＡＳＩＣ）を用いて、および／または１つ以上のデジタル信号プロセッサ（ＤＳＰ）を用いて実装されてもよい。
【００８４】
各種の実施形態を示して詳細に記述してきたが、請求項は、いかなる特定の実施形態または例にも限定されない。上記の記述はいずれも、いかなる特定の要素、ステップ、動作、範囲、または機能が必須であることを示唆していると解釈されるべきではない。本発明は、開示された実施形態に限定されるべきではなく、逆に、各種の修正形態および同等の構成をカバーすることが意図されている。
【図１Ａ】
2009543436.tif 000005
【図１Ｂ】
2009543436.tif 000006
【図２】
2009543436.tif 000007
【図３】
2009543436.tif 000008
【図４】
2009543436.tif 000009
【図５】
2009543436.tif 000010
【図６】
2009543436.tif 000011
【図７】
2009543436.tif 000012
【図８】
2009543436.tif 000013
【図９】
2009543436.tif 000014
【図１０】
2009543436.tif 000015
【図１１】
2009543436.tif 000016
【手続補正書】
【提出日】平成20年6月17日(2008.6.17)
【手続補正１】
【補正対象書類名】特許請求の範囲
【補正対象項目名】全文
【補正方法】変更
【補正の内容】
【特許請求の範囲】
【請求項１】
基地局ノード（２１）を含む電気通信システムにおいて使用される、前記基地局ノード（２１）とユーザ装置ユニット（２３）との間のエアインタフェースを介した高速ダウンリンクパケットアクセス（ＨＳＤＰＡ）チャネルを操作する方法であって、該方法は、
前記ユーザ装置ユニット（２３）と前記基地局ノード（２１）との間の前記チャネルにより搬送される、無線リンク接続の劣化の指標を取得するステップと、
前記指標に従って、前記チャネルを共有する他の無線リンク接続に関連して前記チャネル上の前記無線リンク接続の送信優先度を変更するステップと、
を含むことを特徴とする方法。
【請求項２】
前記チャネルにより搬送される前記無線リンク接続の前記劣化の指標を取得する前記ステップは、前記無線リンク接続に関係する前記ユーザ装置ユニット（２３）の前記基地局ノード（２１）からの距離を示す距離指標を取得するステップを含むことを特徴とする請求項１に記載の方法。
【請求項３】
前記ユーザ装置ユニット（２３）に対するダウンリンク送信およびアップリンク送信の一方または両方に対する送信優先度を変更するステップをさらに含むことを特徴とする請求項１に記載の方法。
【請求項４】
前記指標の関数として前記無線リンク接続に対する送信優先度を修正するステップをさらに含むことを特徴とする請求項１に記載の方法。
【請求項５】
前記指標は、前記ユーザ装置ユニット（２３）に対する送信タイミングアドバンス（ＴＡ）から取得されることを特徴とする請求項１に記載の方法。
【請求項６】
前記指標は、前記ユーザ装置ユニット（２３）に対する搬送波対干渉比（ＣＩＲ）報告またはチャネル品質指標（ＣＱＩ）から取得されることを特徴とする請求項１に記載の方法。
【請求項７】
基地局ノード（２１）を含む電気通信システムにおいて使用される、前記基地局ノード（２１）とユーザ装置ユニット（２３）との間のエアインタフェースを介した高速ダウンリンクパケットアクセス（ＨＳＤＰＡ）チャネルを操作する方法であって、該方法は、
前記ユーザ装置ユニット（２３）と前記基地局ノード（２１）との間の前記チャネルにより搬送される、無線リンク接続の劣化の指標を取得するステップと、
前記指標に従って、
前記チャネル上の前記無線リンク接続の送信優先度を変更するステップと、
第１の入力と第２の入力とを使用して前記無線リンク接続に対する公称送信優先度値を決定するステップであって、前記第１の入力は前記基地局ノード（２１）の送信バッファ内に存在し前記無線リンク接続で使用するよう予定されているパケットの時間遅延に関連しており、前記第２の入力はチャネル品質指標（ＣＱＩ）に関連している、ステップと、
前記指標に関連する第３の入力を用いて前記公称送信優先度値を修正するステップと、
を含むことを特徴とする方法。
【請求項８】
基地局ノード（２１）を含む電気通信システムにおいて使用される、前記基地局ノード（２１）とユーザ装置ユニット（２３）との間のエアインタフェースを介した高速ダウンリンクパケットアクセス（ＨＳＤＰＡ）チャネルを操作する方法であって、該方法は、
前記ユーザ装置ユニット（２３）と前記基地局ノード（２１）との間の前記チャネルにより搬送される、無線リンク接続の劣化の指標を取得するステップと、
前記指標に従って、
前記チャネル上の前記無線リンク接続の送信優先度を変更するステップと、
前記基地局ノード（２１）の送信バッファ内に存在し前記無線リンク接続で使用するよう予定されているパケットの時間遅延を決定するための複数のパラメータを使用するステップと、
調整された時間遅延を形成するために、前記指標を使用して前記複数のパラメータの少なくとも１つの値を調整するステップと、
前記無線リンク接続に対する修正された送信優先度を決定するために、前記調整された時間遅延を使用するステップと、
を含むことを特徴とする方法。
【請求項９】
前記基地局ノード（２１）からの１組の距離範囲を決定するステップと、
前記無線リンク接続に関与する前記ユーザ装置ユニット（２３）が属する前記１組に関連する距離範囲に基づいて、前記複数のパラメータの少なくとも１つの値を調整するステップと、
をさらに含むことを特徴とする請求項８に記載の方法。
【請求項１０】
前記指標の関数として前記無線リンク接続に対する送信電力を修正するステップをさらに含むことを特徴とする請求項１に記載の方法。
【請求項１１】
前記無線リンク接続に対する修正された送信電力を得るために送信電力を変更するステップと、
送信時間間隔の中の前記無線リンク接続の順序を決定するために前記変更された送信電力を使用するステップと、
をさらに含むことを特徴とする請求項１０に記載の方法。
【請求項１２】
基地局ノード（２１）とユーザ装置ユニット（２３）との間のエアインタフェースを介して高速ダウンリンクパケットアクセス（ＨＳＤＰＡ）チャネルを送信する電気通信システムの基地局ノード（２１）であって、該基地局ノードは、
前記ＨＳＤＰＡチャネルを介して通信するよう構成された送受信機と、
前記チャネルにより搬送される無線リンク接続の劣化の指標に従って、前記チャネルの無線リンク接続に関係する前記基地局ノード（２１）と前記ユーザ装置ユニット（２３）との間の無線リンク接続に対する送信優先度を変更するよう構成され、前記無線リンク接続の送信優先度の前記変更は前記チャネルを共有する他の無線リンク接続に関連している、スケジューラと、
を含むことを特徴とする基地局ノード。
【請求項１３】
前記チャネルにより搬送される前記無線リンク接続の前記劣化の指標は、前記無線リンク接続に関係する前記ユーザ装置ユニット（２３）の前記基地局ノード（２１）からの距離の指標を含むことを特徴とする請求項１２に記載の基地局ノード。
【請求項１４】
前記スケジューラは、前記ユーザ装置ユニット（２３）に対するダウンリンク送信およびアップリンク送信の一方または両方に対する送信優先度を変更するよう構成されることを特徴とする請求項１２に記載の基地局ノード。
【請求項１５】
前記スケジューラは、前記指標の関数として前記無線リンク接続に対する送信優先度を修正するよう構成されることを特徴とする請求項１２に記載の基地局ノード。
【請求項１６】
前記スケジューラは、前記ユーザ装置ユニット（２３）に対する送信タイミングアドバンス（ＴＡ）から前記指標を取得するよう構成されることを特徴とする請求項１２に記載の基地局ノード。
【請求項１７】
前記スケジューラは、前記ユーザ装置ユニット（２３）に対する搬送波対干渉比（ＣＩＲ）報告またはチャネル品質指標（ＣＱＩ）から前記指標を取得するよう構成されることを特徴とする請求項１２に記載の基地局ノード。
【請求項１８】
基地局ノード（２１）とユーザ装置ユニット（２３）との間のエアインタフェースを介して高速ダウンリンクパケットアクセス（ＨＳＤＰＡ）チャネルを送信する電気通信システムの基地局ノード（２１）であって、該基地局ノードは、
前記ＨＳＤＰＡチャネルを介して通信するよう構成された送受信機と、
前記チャネルにより搬送される無線リンク接続の劣化の指標に従って、前記チャネルの無線リンク接続に関係する前記基地局ノード（２１）と前記ユーザ装置ユニット（２３）との間の無線リンク接続に対する送信優先度を変更するよう構成されたスケジューラと、
を含み、
前記スケジューラは、
第１の入力と第２の入力とを使用して前記無線リンク接続に対する公称送信優先度値を決定し、ここで、前記第１の入力は前記基地局ノード（２１）の送信バッファ内に存在し前記ユーザ装置ユニット（２３）に対する前記無線リンク接続で使用するよう予定されているパケットの時間遅延に関連し、前記第２の入力はチャネル品質指標（ＣＱＩ）に関連しており、
前記指標に関連する第３の入力を用いて前記公称送信優先度値を修正する、
よう構成されることを特徴とする基地局ノード。
【請求項１９】
基地局ノード（２１）とユーザ装置ユニット（２３）との間のエアインタフェースを介して高速ダウンリンクパケットアクセス（ＨＳＤＰＡ）チャネルを送信する電気通信システムの基地局ノード（２１）であって、該基地局ノードは、
前記ＨＳＤＰＡチャネルを介して通信するよう構成された送受信機と、
前記チャネルにより搬送される無線リンク接続の劣化の指標に従って、前記チャネルの無線リンク接続に関係する前記基地局ノード（２１）と前記ユーザ装置ユニット（２３）との間の無線リンク接続に対する送信優先度を変更するよう構成されたスケジューラと、
を含み、
前記スケジューラは、
前記基地局ノード（２１）の送信バッファ内に存在し前記ユーザ装置ユニット（２３）に対する前記無線リンク接続で使用するよう予定されているパケットの時間遅延を決定するための複数のパラメータを使用し、
調整された時間遅延を形成するために、前記指標を使用して前記複数のパラメータの少なくとも１つの値を調整し、
前記無線リンク接続に対する修正された送信優先度を決定するために、前記調整された時間遅延を使用する、
よう構成されることを特徴とする基地局ノード。
【請求項２０】
前記基地局ノード（２１）から１組の距離範囲が決定され、
前記スケジューラは、前記無線リンク接続に関与する前記ユーザ装置ユニット（２３）が属する前記１組に関連する距離範囲に基づいて、前記複数のパラメータの少なくとも１つの値を調整するよう構成されることを特徴とする請求項１９に記載の基地局ノード。
【請求項２１】
電力制御ユニットをさらに含み、
前記基地局ノード（２１）は、前記指標に従って、前記無線リンク接続を介した送信のために前記電力制御ユニットで使用される変更送信電力を生成するよう構成されることを特徴とする請求項１２に記載の基地局ノード。
【請求項２２】
前記変更送信電力は前記指標の関数であることを特徴とする請求項２１に記載の基地局ノード。
【国際調査報告】
2009543436.tif 000017
2009543436.tif 000018
2009543436.tif 000019
2009543436.tif 000020
2009543436.tif 000021